(57)【要約】【課題】ハウジングに配線板状部材が挿入されるコネクタ装置であって、ハウジングへの挿入が完了した配線板状部材におけるハウジング外に配される部分ついての煽りを効果的に抑制することができるものを提供する。【解決手段】ハウジング１５に、板状部材差込み部１６からハウジング１５の外方に突出し、板状部材差込み部１６に差し込まれるフレキシブル印刷配線基板１３に対する案内を行う案内部２６と、板状部材差込み部１６を挟む二箇所からハウジング１５の外方に夫々突出し、各々にフレキシブル印刷配線基板１３における一対の側縁部のうちの一つに係合するものとされた溝部２７ａが形成されて、その溝部２７ａによりハウジング１５に挿入されたフレキシブル印刷配線基板１３のハウジング１５外に配される部分を係止する一対の板状部材係止部２７とが設けられる。【選択図】図５
2017027699.tif 000002
【特許請求の範囲】
【請求項１】
板状部材差込み部が設けられて配線基板の部品搭載面に配されるハウジングと、
該ハウジング内に配列配置されて、上記配線基板に設けられた配線端子に連結される状態をとり、配線板状部材が上記板状部材差込み部を通じて上記ハウジング内に挿入されたとき、上記ハウジングに差し込まれた配線板状部材に配列配置された複数の接続端子部に接触接続される複数のコンタクトと、
を備えて成り、
上記ハウジングに、上記板状部材差込み部から上記配線板状部材の上記板状部材差込みを通じた上記ハウジングへの挿入方向とは逆の方向に突出し、上記板状部材差込み部に差し込まれる上記配線板状部材における該配線板状部材の厚み方向において相互対向する一対の面の一方に対接して、上記該配線板状部材に対する案内を行う案内部と、上記複数のコンタクトの配列方向において上記板状部材差込み部を挟む二箇所から上記挿入方向とは逆の方向に夫々突出し、各々に上記配線板状部材の上記複数の接続端子部の配列方向における一対の側縁部のうちの一つに係合するものとされた溝部が形成されて、該溝部により上記ハウジングに挿入された上記配線板状部材の上記ハウジング外に配される部分を係止する一対の板状部材係止部と、が設けられたことを特徴とするコネクタ装置。
【請求項２】
上記案内部が、上記ハウジングが上記配線基板の部品搭載面に配されたもとで、該部品搭載面に沿って上記複数のコンタクトの配列方向に伸びる棚状部分を形成することを特徴とする請求項１記載のコネクタ装置。
【請求項３】
上記板状部材係止部に形成された上記溝部が、上記配線板状部材の上記側縁部において段部を形成するものとされた被案内部に係合することを特徴とする請求項１記載のコネクタ装置。
【請求項４】
上記ハウジング内に設けられた該ハウジングに挿入された上記配線板状部材の先端部が当接する位置決め部から上記板状部材係止部に形成された上記溝部の外側端までの距離が、上記配線板状部材の先端部から上記被案内部が形成する段部までの距離より大に選定されたことを特徴とする請求項３記載のコネクタ装置。
【請求項５】
上記ハウジングにおける上記板状部材差込み部及び上記第１及び第２の案内部が設けられた部分及びその周囲部分を除く他の部分の表面を部分的に覆うものとして配され、上記配線基板に設けられた接地端子に連結される導電性シェルを備えることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、その配線板状部材に設けられた接続端子部を他の配線基板に電気的に接続された状態とするため、装着された配線板状部材に設けられた接続端子部に接触接続されるコンタクトを備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部における端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて主配線基板に配される、絶縁材料によって形成されたハウジングを有し、そのハウジング内に配列配置されて主配線基板に設けられた配線端子に連結され、配線板状部材が差込み部を通じてハウジングに挿入されたとき、その配線板状部材に設けられた複数の接続端子部に夫々接触接続されるものとなる複数のコンタクトを備えたものとされる。また、従来提案されている配線板状部材の主配線基板への取付けに用いられるコネクタ装置の中には、上述のようなハウジング及び複数のコンタクトに加えて、外部からの電磁波ノイズに対するシールド効果を得るために、ハウジングを部分的もしくは全体的に覆うものとして配されて主配線基板に設けられた接地端子に連結される導電性シェル、さらには、ハウジングに対して回動可能に設けられ、複数のコンタクトの夫々に係合して、回動せしめられるとき複数のコンタクトの夫々における作動部を変位させ、それにより、複数のコンタクトに、配線板状部材に設けられた複数の接続端子部に夫々接触接続された状態、あるいは、複数の接続端子部との接触接続から解放された状態をとらせるアクチュエータを備えたものもある。
【０００４】
このような従来提案されているコネクタ装置にあっては、例えば、フレキシブル印刷配線基板とされる配線板状部材が、主配線基板に配されたハウジングに差込み部を通じて挿入されて、ハウジング内に配された複数のコンタクトが、ハウジングに挿入された配線板状部材における複数の接続端子部に夫々接触接続され、それにより、配線板状部材が主配線基板との電気的接続状態におかれるにあたり、配線板状部材のハウジングに設けられた差込み部を通じてのハウジングへの挿入が、配線板状部材が適正な姿勢をもってハウジング内における適正な位置に配されるべく行われなくてはならない。当然のことながら、ハウジング内に配された複数のコンタクトがハウジングに挿入された配線板状部材における複数の接続端子部に夫々接触接続された状態が適正に維持されるためには、ハウジングに差込み部を通じて挿入される配線板状部材が、ハウジング内において複数の接続端子部を複数のコンタクトに夫々対応する位置に配するための姿勢と位置とをとることが必要とされるのである。
【０００５】
そのため、上述のような、配線板状部材が差し込まれる差込み部が設けられたハウジングを有し、ハウジング内に配列配置された複数のコンタクトを備えたコネクタ装置であって、差込み部を通じてハウジングに挿入される配線板状部材に対する移動案内手段をハウジング内に設け、その移動案内手段によって、配線板状部材についての差込み部を通じたハウジングへの挿入にあたり、配線板状部材が適正な姿勢をもってハウジング内における適正な位置に配されるようにすることを試みたものが従来提案されている（例えば、特許文献１参照。）。
【０００６】
特許文献１に示されるコネクタ装置にあっては、複数のコンタクト（端子(30)) が配列配置された合成樹脂の成型品から成るハウジング（コネクタ本体(10)) が備えられており、このハウジングにおける差込み部（挿入口(10a))及びそれに連なる内部空間を挟んで相互対向する一対の側壁部分の夫々の内面部に、ガイド溝(10b) が差込み部からハウジング内の後方に向かって伸びるものとして形成されている。斯かるガイド溝(10b) は、差込み部を通じてハウジングに挿入される配線板状部材（フレキシブル回路(1))に対する移動案内手段を構成するものとされている。
【０００７】
斯かるもとで、配線板状部材が差込み部を通じてハウジングに挿入されるときには、配線板状部材の幅方向、即ち、複数のコンタクトの配列方向における両端が、ハウジングにおける一対の側壁部分に夫々形成されたガイド溝(10b) に係合して当該ガイド溝(10b) によって案内される状態におかれる。そして、差込み部に差し込まれた配線板状部材は、その幅方向における両端が一対のガイド溝(10b) によって案内されるもとで、その差込み方向の先端がガイド溝(10b) の後端に当接するまでハウジング内に挿入されて、配線板状部材におけるハウジング内に配された部分に設けられた複数の接続端子部（信号用導電）に複数のコンタクトの接触部(32a) が夫々押圧接触する。
【０００８】
このように、配線板状部材が、その幅方向における両端がハウジングに形成された一対のガイド溝(10b) によって夫々案内されるもとで、差込み部を通じてハウジングに挿入されることにより、配線板状部材についての差込み部を通じたハウジングへの挿入にあたり、配線板状部材が適正な姿勢をもってハウジング内における適正な位置に配されることを期待することができる。
【先行技術文献】
【特許文献】
【０００９】
【特許文献１】特開２０１４−２２２１４号公報
【発明の概要】
【発明が解決しようとする課題】
【００１０】
上述のような、フレキシブル印刷配線基板等の配線板状部材の主配線基板への取付けに用いられるコネクタ装置であって、差込み部を通じてハウジングに挿入される配線板状部材に対する移動案内手段を備えたものとして従来提案されているコネクタ装置にあっては、配線板状部材についての差込み部を通じたハウジングへの挿入が完了したとき、配線板状部材の全部がハウジングの内部に配されるのではなく、配線板状部材の一部分あるいは大部分がハウジングの外部に配される状態がとられる。即ち、差込み部を通じたハウジングへの挿入が完了した配線板状部材は、その一部分あるいは大部分が差込み部からハウジング外に突出するものとされてハウジングの外部に配されるのである。
【００１１】
そして、コネクタ装置がそのハウジングに配線板状部材が挿入されて実際の使用に供されるにあたり、差込み部を通じたハウジングへの挿入が完了した配線板状部材におけるハウジングの外部に配された部分 (以下、ハウジング外突出部分という。）は、それをその厚み方向に変位させる変形移動 (以下、煽りという。）を生じさせようとする外力が加えられる状態におかれることが少なくない。そして、差込み部を通じたハウジングへの挿入が完了した配線板状部材におけるハウジング外突出部分に煽りを生じさせようとする外力が加えられると、当該ハウジング外突出部分が、ハウジングにおける差込み部を支点にした煽りを生じることになる。
【００１２】
このようにして、差込み部を通じたハウジングへの挿入が完了した配線板状部材におけるハウジング外突出部分がハウジングにおける差込み部を支点にした煽りを生じると、それによる変位の影響が、差込み部を通じたハウジングへの挿入が完了した配線板状部材におけるハウジング内に配された部分にも及び、斯かるハウジング内に配された部分に設けられた複数の接続端子部に対する複数のコンタクトの押圧接触が適正に行われなくなってしまう虞がある。即ち、差込み部を通じたハウジングへの挿入が完了した配線板状部材におけるハウジング外突出部分がハウジングにおける差込み部を支点にした煽りを生じるものとされると、配線板状部材とコネクタ装置との電気的接続が適正に行われなくなり、その結果、コネクタ装置が配された主配線基板に対する配線板状部材の取付けに支障がきたされることになってしまうのである。
【００１３】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジング内に配列配置されて設けられる複数のコンタクトとを備えたコネクタ装置であって、配線板状部材が板状部材差込み部を通じてハウジングに挿入され、複数のコンタクトが配線板状部材における複数の接続端子部に夫々接触接続されて実用に供される際に、板状部材差込み部を通じたハウジングへの挿入が完了した配線板状部材におけるハウジング外突出部分についてのハウジングにおける板状部材差込み部を支点にした煽りを、効果的に抑制することができるものを提供する。
【課題を解決するための手段】
【００１４】
本願の特許請求の範囲における請求項１から請求項５までのいずれかに記載された発明（以下、本発明という。）に係るコネクタ装置は、板状部材差込み部が設けられて配線基板の部品搭載面に配されるハウジングと、ハウジング内に配列配置されて配線基板に設けられた配線端子に連結される状態をとり、配線板状部材が板状部材差込み部を通じてハウジングに挿入されたとき、配線板状部材に配列配置された複数の接続端子部に接触接続される複数のコンタクトとを備えて成り、ハウジングに、板状部材差込み部から配線板状部材の板状部材差込み部を通じたハウジングへの挿入方向とは逆の方向に突出し、板状部材差込み部に差し込まれる配線板状部材における該配線板状部材の厚み方向において相互対向する一対の面の一方に対接して、板状部材差込み部に差し込まれる配線板状部材に対する案内を行う案内部と、複数のコンタクトの配列方向において板状部材差込み部を挟む二箇所から配線板状部材のハウジングへの挿入方向とは逆の方向に夫々突出し、各々に配線板状部材の複数の接続端子部の配列方向における一対の側縁部のうちの一つに係合するものとされた溝部が形成されて、その溝部によりハウジングに挿入された配線板状部材のハウジング外に配される部分を係止する一対の板状部材係止部と、が設けられたことを特徴とするものとされる。
【００１５】
上述のような本発明に係るコネクタ装置にあっては、ハウジングに、それに設けられた板状部材差込み部からハウジングの外方へと配線板状部材のハウジングへの挿入方向とは逆の方向に突出する案内部と、複数のコンタクトの配列方向において板状部材差込み部を挟む二箇所からハウジングの外方へと配線板状部材のハウジングへの挿入方向とは逆の方向に夫々突出する一対の板状部材係止部とが設けられている。そして、案内部は、板状部材差込み部に差し込まれる配線板状部材におけるその厚み方向において相互対向する一対の面の一方に対接して、当該配線板状部材に対する案内を行い、また、一対の板状部材係止部の夫々には、配線板状部材の複数の接続端子部の配列方向における一対の側縁部のうちの一つに係合するものとされた溝部が形成されていて、その溝部によりハウジングに挿入された配線板状部材のハウジング外に配される部分が係止される。
【００１６】
このようなもとで、本発明に係るコネクタ装置に、フレキシブル印刷配線基板やフレキシブル平板状ケーブル等とされる配線板状部材が装着される際には、配線板状部材が、ハウジングに設けられた案内部による案内を受ける状態をもってハウジングに設けられた板状部材差込み部に差し込まれ、その後、板状部材差込み部を通じてハウジングに挿入される。そして、配線板状部材のハウジングへの挿入が完了すると、ハウジングに配列配置された複数のコンタクトが、配線板状部材に配列配置された複数の接続端子部に接触接続されて、配線板状部材とコネクタ装置との電気的接続が行われ、それにより配線板状部材とハウジングが部品搭載面に配された配線基板とが電気的に連結されるとともに、ハウジングに設けられた一対の板状部材係止部に夫々形成された一対の溝部が、配線板状部材の複数の接続端子部の配列方向における一対の側縁部に夫々係合し、それにより、ハウジングに挿入された配線板状部材のハウジング外に配される部分が係止される。
【００１７】
板状部材係止部に形成された溝部の配線板状部材の側縁部との係合は、より具体的には、例えば、溝部が配線板状部材の側縁部において段部を形成するものとされた被案内部に係合することにより行われる。
【発明の効果】
【００１８】
本発明に係るコネクタ装置によれば、上述のように、配線板状部材の板状部材差込み部を通じたハウジングへの挿入が完了すると、ハウジングにおける複数のコンタクトの配列方向において板状部材差込み部を挟む二箇所から夫々ハウジングの外方へと突出する一対の板状部材係止部に夫々形成された一対の溝部が、配線板状部材の複数の接続端子部の配列方向における一対の側縁部に夫々係合し、それにより、ハウジングに挿入された配線板状部材のハウジング外に配される部分が係止されるので、ハウジングに挿入された配線板状部材のハウジング外に配される部分、即ち、配線板状部材におけるハウジング外突出部分についてのハウジングにおける板状部材差込み部を支点にした煽りを効果的に抑制することができる。その結果、配線板状部材におけるハウジング外突出部分についてのハウジングにおける板状部材差込み部を支点にした煽による変位の影響が、ハウジングへの挿入が完了した配線板状部材におけるハウジング内に配された部分に及び、配線板状部材とコネクタ装置との電気的接続が適正に行われなくなって、コネクタ装置が配された配線基板に対する配線板状部材の取付けに支障がきたされることになってしまう事態を回避できることになる。
【００１９】
また、板状部材係止部に形成された溝部の配線板状部材の側縁部との係合が、溝部が配線板状部材の側縁部において段部を形成するものとされた被案内部に係合することにより行われる場合には、板状部材係止部に形成された溝部による配線板状部材におけるハウジング外突出部分についての係止をより確実に行うことができる。
【図面の簡単な説明】
【００２０】
【図１】本発明に係るコネクタ装置の一例をそれが固着された配線基板及びそれに装着されるフレキシブル印刷配線基板と共に示す斜視図である。
【図２】本発明に係るコネクタ装置の一例をそれに装着されるフレキシブル印刷配線基板と共に示す平面図である。
【図３】図２における III−III 線断面を示す断面図である。
【図４】本発明に係るコネクタ装置の一例における板状部材差込み部にフレキシブル印刷配線基板が差し込まれた状態を示す斜視図である。
【図５】図４における一点鎖線枠Ａ内を、配線基板を省略した状態をもって拡大して示す部分斜視図である。
【図６】本発明に係るコネクタ装置の一例におけるハウジングへのフレキシブル印刷配線基板の挿入が完了した状態を示す斜視図である。
【図７】本発明に係るコネクタ装置の一例におけるハウジングへのフレキシブル印刷配線基板の挿入が完了した状態を示す一部破断平面図である。
【図８】図７における一点鎖線枠Ｂ内を拡大して示す部分平面図である。
【図９】図７におけるIX−IX線断面を示す断面図である。
【発明を実施するための形態】
【００２１】
本発明を実施するための形態は、以下に述べられる本発明についての実施例をもって説明される。
【実施例】
【００２２】
図１（斜視図）は、本発明に係るコネクタ装置の一例を成すコネクタ装置１０を、それが固着された配線基板１２及びそれに装着される配線板状部材を成すフレキシブル印刷配線基板１３と共に示し、また、図２は（平面図）は、コネクタ装置１０をそれに装着されるフレキシブル印刷配線基板１３と共に示し、さらに、図３（断面図）は、図２における III−III 線断面を示す。
【００２３】
図１〜図３において、コネクタ装置１０は、合成樹脂等の絶縁材料によって形成されたハウジング１５を備えている。ハウジング１５は、配線基板１２の部品搭載面１２ａに位置固定されて配されており、それにより、コネクタ装置１０の全体が配線基板１２に固着されたものとされている。その際、ハウジング１５における正面側部分とそれに対向する背面側部分とに挟まれた一対の対向端面部のうちの一方が配線基板１２に対接する端面部とされて他方が解放された端面部とされる。以下においては、配線基板１２の部品搭載面１２ａに対接するハウジング１５の一端面部を下方端面部といい、それに対向するハウジング１５の他端面部を上方端面部というとともに、ハウジング１５における下方端面部側及び上方端面部側を夫々下側及び上側といい、さらに、下方端面部から上方端面部に向かう方向を上向方向といい、上方端面部か下方端面部に向かう方向を下向方向という。
【００２４】
ハウジング１５には、その正面側部分に板状部材差込み部１６が設けられており、板状部材差込み部１６からハウジング１５の内部へと板状部材収容空間１７が広がっている。そして、板状部材差込み部１６を通じて、フレキシブル印刷配線基板１３が、配線板状部材を成すものとしてハウジング１５に挿入され、その一部分が板状部材収容空間１７内に収容される。板状部材差込み部１６を通じてハウジング１５に挿入されたフレキシブル印刷配線基板１３は、その先端部１８がハウジング１５内に設けられて板状部材収容空間１７の最奥部を区画する位置決め部１９に当接する状態とされて、ハウジング１５への挿入が完了するものとされる。
【００２５】
フレキシブル印刷配線基板１３には、図１において配線基板１２の部品搭載面１２ａに対面することになる下向となっている面に、例えば、各々が細い短冊状に形成された複数の接続端子部Ｔｓ（後述される図９に示されている。）が配列配置されて設けられているとともに、図１において上向となっている面に接地接続部Ｔｅが設けられている。そして、複数の接続端子部Ｔｓが配列配置されて設けられた領域と接地接続部Ｔｅが設けられた領域とが相互対向するものとして配された接続部分１３ａの一端部がフレキシブル印刷配線基板１３の先端部１８を形成している。また、フレキシブル印刷配線基板１３におけるその接続部分１３ａに配列配置された複数の接続端子部Ｔｓを挟んで相互対向する一対の側縁部には、各々が段部２０を成す一対の被案内部２１及び各々が切欠き部を成す一対の係合部分２２が夫々形成されている。
【００２６】
一対の係合部分２２の夫々は、フレキシブル印刷配線基板１３の側縁部における接続部分１３ａに属する部分に形成されており、また、各々が段部２０を成す一対の被案内部２１の夫々は、フレキシブル印刷配線基板１３の側縁部における接続部分１３ａに連なる本体部分１３ｂに属する部分に形成されている。即ち、フレキシブル印刷配線基板１３の接続部分１３ａにおける一対の側縁部に一対の係合部分２２が夫々形成されており、フレキシブル印刷配線基板１３の接続部分１３ａに連なる本体部分１３ｂにおける一対の側縁部に一対の被案内部２１が夫々形成されているのである。
【００２７】
そして、ハウジング１５には、板状部材差込み部１６に加えて、各々が弾性導電材料で形成された複数のコンタクト２５が、ハウジング１５の長手方向（正面側部分側から見て左右方向）に沿って配列配置されて設けられている。複数のコンタクト２５は、ハウジング１５に挿入されたフレキシブル印刷配線基板１３における複数の接続端子部Ｔｓに接触接続されるものとして設けられており、例えば、フレキシブル印刷配線基板１３における複数の接続端子部Ｔｓが成す信号接続端子部に接触接続される信号用コンタクトとして用いられる。
【００２８】
複数のコンタクト２５の夫々には、図２及び図３に示されるように、ハウジング１５の背面側部分からその外部に導出される接続端子部２５ａと、ハウジング１５の内部の板状部材収容空間１７内に配される押圧接触部２５ｂとが設けられており、接続端子部２５ａは、ハウジング１５が配された配線基板１２の部品搭載面１２ａに設けられた配線端子に接続され、また、押圧接触部２５ｂは、板状部材収容空間１７内に収容されたフレキシブル印刷配線基板１３の一部分に配された複数の接続端子部Ｔｓのうちの対応するものに押圧接触する。それにより、板状部材差込み部１６を通じてハウジング１５に挿入されたフレキシブル印刷配線基板１３の一部分における複数の接続端子部Ｔｓが、複数のコンタクト２５を介して、ハウジング１５が配された配線基板１２の部品搭載面１２ａに設けられた配線端子に連結される。そして、複数のコンタクト２５は、例えば、ハウジング１５の背面側部分側から、ハウジング１５の内部へと押圧挿入される。
【００２９】
また、ハウジング１５には、その正面側部分に設けられた板状部材差込み部１６における下側部分から、フレキシブル印刷配線基板１３の板状部材差込み部１６を通じたハウジング１５への挿入方向とは逆の方向をもってハウジング１５の外方に突出し、板状部材差込み部１６に差し込まれるフレキシブル印刷配線基板１３におけるその厚み方向において相互対向する一対の面の一方に対接して、当該フレキシブル印刷配線基板１３に対する案内を行う案内部２６が設けられている。案内部２６は、ハウジング１５が配線基板１２の部品搭載面１２ａに配されたもとで、配線基板１２の部品搭載面１２ａに沿って複数のコンタクト２５の配列方向に伸びる棚状部分を形成しており、斯かる棚状部分は板状部材差込み部１６からハウジング１５の外方に向かって傾斜する案内面部を有したものとされている。
【００３０】
さらに、ハウジング１５には、複数のコンタクト２５の配列方向であるハウジング１５の長手方向において板状部材差込み部１６を挟む二箇所から、フレキシブル印刷配線基板１３のハウジング１５への挿入方向とは逆の方向をもってハウジング１５の外方に夫々突出し、各々にフレキシブル印刷配線基板１３の複数の接続端子部Ｔｓの配列方向における一対の側縁部のうちの一つに係合するものとされた溝部２７ａが形成されて、その溝部２７ａによりハウジング１５に挿入されたフレキシブル印刷配線基板１３のハウジング１５外に配される部分を係止する一対の板状部材係止部２７が設けられている。本発明に係るコネクタ装置の一例を成すコネクタ装置１０にあっては、一対の板状部材係止部２７の夫々に形成された溝部２７ａのフレキシブル印刷配線基板１３における側縁部との係合は、具体的には、溝部２７ａが、フレキシブル印刷配線基板１３における本体部分１３ｂの側縁部において段部２０を成すものとされた被案内部２１に係合することにより行われる。
【００３１】
また、コネクタ装置１０は、ハウジング１５における板状部材差込み部１６，案内部２６及び一対の板状部材係止部２７が設けられた部分である正面側部分及びその周囲部分を除く他の部分の表面を部分的に覆うものとして配された導電性シェル２８を備えている。この導電性シェル２８は、金属板が加工成形されて構成されており、複数のコンタクト２５についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００３２】
導電性シェル２８は、ハウジング１５における正面側部及びその周囲部分と、上方端面部の背面側部分との境界部分の一部及び背面側部分における複数のコンタクト２５の接続端子部２５ａが外部に導出される部分については、それらの表面を覆っていないが、ハウジング１５における上方端面部の背面側部分との境界部分の一部以外の部分，左側端部分及び右側端部分については、それらの表面を略全体的に覆っている。また、導電性シェル２８には、複数の接地接続端子部２８ａが設けられていて、これらの接地接続部２８ａの夫々は、ハウジング１５が配される配線基板１２の部品搭載面１２ａに設けられた接地端子に、例えば、半田付けにより連結されるものとされる。
【００３３】
このように、導電性シェル２８が、ハウジング１５における上方端面部の背面側部分との境界部分の一部以外の部分，左側端部分及び右側端部分の夫々の表面を略全体的に覆い、それに設けられた複数の接地接続端子部２８ａが、配線基板１２の部品搭載面１２ａに設けられた接地端子に、例えば、半田付けにより連結されるものとされることにより、導電性シェル２８から複数のコンタクト２５の夫々までの距離が比較的小なる略均等なものとなって、導電性シェル２８の複数のコンタクト２５の特性インピーダンス調整への貢献が大とされ、さらに、導電性シェル２８による外部からの電磁波ノイズに対するシールド効果が効果的に得られることになるとともに、導電性シェル２８をコネクタ装置１０の配線基板１２への固着に利用できることになる。複数のコンタクト２５の特性インピーダンス調整とは、複数のコンタクト２５についての特性インピーダンスを、複数のコンタクト２５が夫々接触接続されるフレキシブル印刷配線基板１３における複数の接続端子部Ｔｓの特性インピーダンスと整合させるための調整である。
【００３４】
また、導電性シェル２８には、例えば、ハウジング１５の下方端面部を部分的に覆う部分からハウジング１５内へと伸び、ハウジング１５に板状部材差込み部１６を通じて挿入されたフレキシブル印刷配線基板１３を係止する状態をとるロック部２９（図３に示されている。）が形成されている。ロック部２９は、板状部材差込み部１６を通じてハウジング１５に挿入されたフレキシブル印刷配線基板１３に設けられた係合部分２２に係合して、フレキシブル印刷配線基板１３を係止する。
【００３５】
そして、ハウジング１５においては、導電性シェル２８に形成されたロック部２９に対応する部位に、ロック解除部３０が移動可能に設けられている。このロック解除部３０は、ハウジング１５に対する下向方向及び上向方向の揺動が可能とされており、板状部材差込み部１６を通じてハウジング１５に挿入されたフレキシブル印刷配線基板１３に対するロック部２９による係止を解除すべく、操作されるものとされている。
【００３６】
図４及び図４における一点鎖線枠Ａ内を配線基板１２を省略した状態をもって拡大して示す図５は、図１及び図２に示されるフレキシブル印刷配線基板１３が、コネクタ装置１０におけるハウジング１５の正面側部分に設けられた板状部材差込み部１６に差し込まれた状態を示す。斯かる状態がとられるにあたっては、フレキシブル印刷配線基板１３における接続部分１３a の一端部が形成する先端部１８が、ハウジング１５の正面側部分に設けられた棚状部分を形成する案内部２６により案内されるもとで、その一端部が先端部１８を形成する接続部分１３ａが板状部材差込み部１６に差し込まれる。
【００３７】
このとき、フレキシブル印刷配線基板１３は、接地接続部Ｔｅが設けられた面が図５において上向となり、複数の接続端子部Ｔｓが配列配置されて設けられた面が図５において下向となるようにされ、また、本体部分１３ｂにおける一対の側縁部に形成された一対の被案内部２１が、ハウジング１５の正面側部分に設けられた一対の板状部材係止部２７に形成された一対の溝部２７ａに夫々対応する位置をとるものとされる。斯かるもとで、図５に示されるように、ハウジング１５内に設けられて板状部材収容空間１７の最奥部を区画する位置決め部１９から板状部材係止部２７に形成された溝部２７ａの外側端までの距離Ｌ１が、フレキシブル印刷配線基板１３の先端部１８から被案内部２１が形成する段部２０までの距離Ｌ２より大に選定されている。
【００３８】
その後、フレキシブル印刷配線基板１３が、その先端部１８がハウジング１５内に設けられた位置決め部１９に当接するまで、板状部材差込み部１６を通じてハウジング１５に挿入されていき、フレキシブル印刷配線基板１３の先端部１８がハウジング１５内に設けられた位置決め部１９に当接したとき、フレキシブル印刷配線基板１３のハウジング１５への挿入が完了せしめられて、図６（斜視図）及び図７（一部破断平面図）に示される状態がとられる。このとき、フレキシブル印刷配線基板１３における複数の接続端子部Ｔｓが配列配置されて設けられた領域と接地接続部Ｔｅが設けられた領域とが相互対向するものとして配された接続部分１３ａが、ハウジング１５内に設けられた板状部材収容空間１７内に配され、フレキシブル印刷配線基板１３の接続部分１３ａに連なる本体部分１３ｂが、ハウジング１５における板状部材差込み部１６からその外方に突出するものとしてハウジング１５外に配される。即ち、板状部材差込み部１６を通じたハウジング１５への挿入が完了したフレキシブル印刷配線基板１３は、接続部分１３ａがハウジング１５内に設けられた板状部材収容空間１７内に配されて、接続部分１３ａに連なる本体部分１３ｂがハウジング１５における板状部材差込み部１６からその外方に突出してハウジング１５外に配されるものとされるのである。
【００３９】
斯かるもとで、ハウジング１５内に設けられた位置決め部１９から板状部材係止部２７に形成された溝部２７ａの外側端までの距離Ｌ１が、フレキシブル印刷配線基板１３の先端部１８から被案内部２１が形成する段部２０までの距離Ｌ２より大に選定されていることにより、板状部材差込み部１６を通じたフレキシブル印刷配線基板１３の先端部１８が位置決め部１９に当接して、フレキシブル印刷配線基板１３のハウジング１５への挿入が完了したときには、図７における一点鎖線枠Ｂ内を拡大して示す図８に示されるように、ハウジング１５からフレキシブル印刷配線基板１３のハウジング１５への挿入方向とは逆の方向をもってハウジング１５の外方に夫々突出する一対の板状部材係止部２７の夫々に形成された溝部２７ａが、フレキシブル印刷配線基板１３の接続部分１３ａに連なる本体部分１３ｂにおける一対の側縁部の夫々に形成された被案内部２１に夫々係合して、フレキシブル印刷配線基板１３の本体部分１３ｂを係止する。
【００４０】
それにより、板状部材差込み部１６を通じたハウジング１５への挿入が完了したフレキシブル印刷配線基板１３における、板状部材差込み部１６からその外方に突出してハウジング１５外に配される部分である本体部分１３ｂが、ハウジング１５に設けられた一対の板状部材係止部２７に夫々形成された一対の溝部２７ａによって係止されることになり、フレキシブル印刷配線基板１３の本体部分１３ｂについてのハウジング１５における板状部材差込み部１６を支点にした煽りが効果的に抑制される。
【００４１】
このようにして、フレキシブル印刷配線基板１３の板状部材差込み部１６を通じたハウジング１５への挿入が完了したもとにおいては、図７におけるIX-IX 線断面を示す図９に示されるように、ハウジング１５において、配列配置された複数のコンタクト２５の夫々が、その押圧接触部２５ｂを板状部材収容空間１７内に配されたフレキシブル印刷配線基板１３の接続部分１３ａに配列配置された複数の接続端子部Ｔｓのうちの対応するものに押圧接触させて、当該接続端子部Ｔｓに接触接続される。それにより、フレキシブル印刷配線基板１３における複数の接続端子部Ｔｓが、複数のコンタクト２５を介して、ハウジング１５が配された配線基板１２の部品搭載面１２ａに設けられた配線端子に連結される。
【００４２】
また、それとともに、ハウジング１５の表面を部分的に覆うものとして配された導電性シェル２８に設けられて板状部材収容空間１７内へと伸びるものとされた接触片部２８ｂが、板状部材収容空間１７内に配されたフレキシブル印刷配線基板１３の接続部分１３ａに配された接地接続部Ｔｅに押圧接触する。それにより、フレキシブル印刷配線基板１３における接地接続部Ｔｅが、導電性シェル２８を介して、ハウジング１５が配された配線基板１２の部品搭載面１２ａに設けられた接地端子に連結される。
【００４３】
さらに、斯かる際には、導電性シェル２８に形成されたロック部２９が、板状部材収容空間１７内に配されたフレキシブル印刷配線基板１３の接続部分１３ａにおける一対の側縁部に形成された一対の係合部分２２の夫々に係合して、フレキシブル印刷配線基板１３を係止する。それにより、フレキシブル印刷配線基板１３が、不所望にハウジング１５から抜脱せしめられる事態が回避される。
【００４４】
その後、フレキシブル印刷配線基板１３がハウジング１５から抜脱せしめられるにあたっては、ハウジング１５におけるロック部２９に対応する部位に移動可能に設けられたロック解除部３０に、ロック部２９に対する解除操作としての、ハウジング１５内に押し込まれる操作が加えられる。それにより、ハウジング１５内に押し込まれたロック解除部３０が、ロック部２９に当接係合してロック部２９を押圧変位させ、当該ロック部２９にフレキシブル印刷配線基板１３における係合部分２２との係合を解除させる。その結果、フレキシブル印刷配線基板１３が、ロック部２９による係止状態から解放され、ハウジング１５から適正に抜脱され得る状態におかれる。ロック解除部３０は、ロック部２９に対する解除操作が加えられなくなると、自らの復元力によって元の状態に戻る。
【００４５】
上述のようなコネクタ装置１０が配線基板１２に固着されて用いられ、それに配線板状部材を成すフレキシブル印刷配線基板１３が装着されるもとにあっては、フレキシブル印刷配線基板１３をコネクタ装置１０におけるハウジング１５に板状部材差込み部１６を通じて挿入するだけで、ハウジング１５に挿入されたフレキシブル印刷配線基板１３における複数の接続端子部Ｔｓが、複数のコンタクト２５を介して、ハウジング１５が配された配線基板１２における配線端子に連結されるとともに、当該フレキシブル印刷配線基板１３における接地接続部Ｔｅが、導電性シェル２８を介して、ハウジング１５が配された配線基板１２における接地端子に連結され、さらに、ハウジング１５に差し込まれたフレキシブル印刷配線基板１３がロック部２９によって適正に係止される状態を得ることができる。
【００４６】
また、コネクタ装置１０によれば、フレキシブル印刷配線基板１３の板状部材差込み部１６を通じたハウジング１５への挿入が完了すると、ハウジング１５における複数のコンタクト２５の配列方向において板状部材差込み部１６を挟む位置から夫々ハウジング１５の外方へと突出する一対の板状部材係止部２７に夫々形成された一対の溝部２７ａが、フレキシブル印刷配線基板１３の複数の接続端子部Ｔｓの配列方向における一対の側縁部に夫々係合し、それにより、ハウジング１５に挿入されたフレキシブル印刷配線基板１３におけるハウジング１５外に配されるハウジング外突出部分である本体部分１３ｂが係止されるので、ハウジング１５に挿入されたフレキシブル印刷配線基板１３におけるハウジング外突出部分である本体部分１３ｂについての、ハウジング１５における板状部材差込み部１６を支点にした煽りを効果的に抑制することができる。その結果、フレキシブル印刷配線基板１３におけるハウジング外突出部分についてのハウジング１５における板状部材差込み部１６を支点にした煽による変位の影響が、ハウジング１５への挿入が完了したフレキシブル印刷配線基板１３におけるハウジング１５内に配された部分である接続部分１３ａに及び、フレキシブル印刷配線基板１３の接続部分１３ａにおける複数の接続端子部Ｔｓとハウジング１５に配列配置された複数のコンタクト２５との電気的接続が適正に行われなくなって、コネクタ装置１０が配された配線基板１２に対するフレキシブル印刷配線基板１３の取付けに支障がきたされることになってしまう事態を回避できることになる。
【００４７】
さらに、板状部材係止部２７に形成された溝部２７ａのフレキシブル印刷配線基板１３の側縁部との係合が、溝部２７ａがフレキシブル印刷配線基板１３の本体部分１３ｂの側縁部において段部２０を形成するものとされた被案内部２１に係合することにより行われるので、板状部材係止部２７に形成された溝部２７ａによるフレキシブル印刷配線基板１３におけるハウジング外突出部分である本体部分１３ｂについての係止をより確実に行うことができる。
【産業上の利用可能性】
【００４８】
以上のような本発明に係るコネクタ装置は、フレキシブル印刷配線基板やフレキシブル平板状ケーブル等とされる配線板状部材の他の配線基板への取付けに用いられる、板状部材差込み部が設けられたハウジングとハウジング内に配列配置されて設けられる複数のコンタクトとを備えたコネクタ装置であって、配線板状部材が板状部材差込み部を通じてハウジングに挿入され、複数のコンタクトが配線板状部材における複数の接続端子部に夫々接触接続されて実用に供される際に、板状部材差込み部を通じたハウジングへの挿入が完了した配線板状部材におけるハウジング外突出部分についてのハウジングにおける板状部材差込み部を支点にした煽りを、効果的に抑制することができるものとして、様々な電子機器等に広く適用され得るものである。
【符号の説明】
【００４９】
１０・・・コネクタ装置，  １２・・・配線基板、  １２ａ・・・部品搭載面，  １３・・・フレキシブル印刷配線基板，  １５・・・ハウジング，  １６・・・板状部材差込み部，  １７・・・板状部材収容空間，  １８・・・（フレキシブル印刷配線基板１３の）先端部，  １９・・・位置決め部，  ２０・・・段部，  ２１・・・被案内部，  ２２・・・係合部分，  ２５・・・コンタクト，  ２５ａ・・・接続端子部，  ２５ｂ・・・押圧接触部，  ２６・・・案内部，  ２７・・・板状部材係止部，  ２７ａ・・・溝部，  ２８・・・導電性シェル，  ２８ａ・・・接地接続端子部，  ２８ｂ・・・接触片部，  ２９・・・ロック部，  ３０・・・ロック解除部，  Ｔｓ・・・接続端子部，  Ｔｅ・・・接地接続部
【図１】
2017027699.tif 000003
【図２】
2017027699.tif 000004
【図３】
2017027699.tif 000005
【図４】
2017027699.tif 000006
【図５】
2017027699.tif 000007
【図６】
2017027699.tif 000008
【図７】
2017027699.tif 000009
【図８】
2017027699.tif 000010
【図９】
2017027699.tif 000011